(57)【要約】【課題】複数のディスク保持ケースの交換に起因する稼働率の低下を防止する。【解決手段】サーボライタは、４個のディスク保持ケース８を備える。ディスク保持ケース８を、上ケースと下ケースとから構成する。下ケースに挿通孔２２ｈを形成する。ユニットシャフト３５を、ネジ部３５ａと、挿通部３５ｂと、ヘッド部３５ｃと、から構成する。ケース取付板２５に、位置決めリブ２５ｂ、ネジ孔２５ｄを形成し、位置決めピン２６を取り付ける。ユニットシャフト３５のネジ部３５ａ及び挿通部３５ｂを、４個のディスク保持ケース８の各挿通孔２２ｈに挿通し、ユニット化した４個のディスク保持ケース８をケース取付板２５に載せ、位置決めピン２６に当接させて、ディスク保持ケース８の位置決めを行う。ネジ部３５ａをネジ孔２５ｄに噛合させて、４個のディスク保持ケース８をケース取付板２５に取り付ける。【選択図】図６
2007133931.tif 000002
【特許請求の範囲】
【請求項１】
重ねられた複数のフレキシブル磁気ディスクが載せられ、前記複数のフレキシブル磁気ディスクを回転させるスピンドルモータと、
前記スピンドルモータにより回転された前記複数のフレキシブル磁気ディスクにサーボ信号を同時に記録する複数の磁気ヘッドと、
前記複数のフレキシブル磁気ディスクそれぞれの少なくとも下面を保持する複数のディスク保持ケースと、
前記複数のディスク保持ケースが載せられ、前記複数のディスク保持ケースを保持するケース保持部材と、を有するサーボライタであって、
前記複数のディスク保持ケースを、ユニット化した状態で前記ケース保持部材に着脱自在に取り付ける取付手段を備えたことを特徴とするサーボライタ。
【請求項２】
前記取付手段は、
前記複数のディスク保持ケースそれぞれに形成された挿通孔に挿通する挿通部と、前記挿通部の上側端部に設けられ前記挿通孔よりも大きい径のヘッド部と、前記挿通部の下側端部に設けられ前記ケース保持部材に係止する係止部と、を有し、前記ディスク保持ケースを前記ケース保持部材に係止する係止部材を備えたことを特徴とする請求項１記載のサーボライタ。
【請求項３】
前記ケース保持部材に、前記ディスク保持ケースを位置決めする位置決め部を設けたことを特徴とする請求項１または２記載のサーボライタ。
【請求項４】
重ねられた複数のフレキシブル磁気ディスクを回転させ、
回転された前記複数のフレキシブル磁気ディスクにサーボ信号を同時に記録するサーボライト方法であって、
ユニット化された状態で取付部材に着脱自在に取り付けられる複数のディスク保持ケースにより、前記複数のフレキシブル磁気ディスクの少なくとも下面を保持した状態で、前記複数のフレキシブル磁気ディスクを回転させることを特徴とするサーボライト方法。
【請求項５】
請求項１ないし３いずれか１つ記載のサーボライタでサーボ信号を記録したことを特徴とするフレキシブル磁気ディスク。
【発明の詳細な説明】
【技術分野】
【０００１】
本発明は、複数のフレキシブル磁気ディスクにサーボ信号を同時に記録するサーボライタ及び方法、並びにフレキシブル磁気ディスクに関するものである。
【背景技術】
【０００２】
ディスクドライブ装置に装填されるフレキシブル磁気ディスクには、ディスクドライブ装置の記録／再生ヘッドの位置を制御するためのサーボ信号が記録されている（例えば、特許文献１参照）。このサーボ信号は、サーボライタで記録される。サーボライタは、スピンドルモータと書込みヘッド（本件の磁気ヘッド）とを備え、スピンドルモータでフレキシブル磁気ディスクを回転させ、回転させた状態のフレキシブル磁気ディスクに書込みヘッドによりサーボ信号を記録する。
【０００３】
近年では、フレキシブル磁気ディスクの普及が高まり、その需要が増加しており、生産効率の向上及び低価格化を図るために、短時間でより多くのフレキシブル磁気ディスクにサーボ信号を記録することが求められている。サーボライタを多数設置した場合には、短時間で多くのフレキシブル磁気ディスクにサーボ信号を記録することができるが、サーボライタの購入費用等により、フレキシブル磁気ディスク自体のコストアップになっていた。そこで、フレキシブル磁気ディスクを複数重ねて、１機のサーボライタで、複数のフレキシブル磁気ディスクに同時にサーボ信号を記録することが考えられている。このようなサーボライタでは、フレキシブル磁気ディスクを保持する保持ケースを複数（フレキシブル磁気ディスクの枚数分）設け、この保持ケースのフレキシブル磁気ディスクを保持する面に、フレキシブル磁気ディスクの表面塵埃を除去するとともに傷つくのを防止するためのライナーを貼り付けることが考えられる。
【特許文献１】特開平１１−６６７７７号公報
【発明の開示】
【発明が解決しようとする課題】
【０００４】
しかしながら、上記したようなサーボライタでは、保持ケースに貼り付けたライナーが汚れた場合や保持ケース内部が汚れた場合には、ライナーを新しいものに貼り換える作業、保持ケース自体を交換する作業、保持ケース内部を清掃する作業が必要となり、その作業中には、サーボライタの稼働が停止するため、稼働率が低下するという問題があった。
【０００５】
本発明は、上記課題を解決するためになされたものであり、複数のディスク保持ケースの交換に起因する稼働率の低下を防止することができるサーボライタ及び方法、並びにフレキシブル磁気ディスクを提供することを目的とする。
【課題を解決するための手段】
【０００６】
上記目的を達成するために、本発明のサーボライタは、重ねられた複数のフレキシブル磁気ディスクが載せられ、前記複数のフレキシブル磁気ディスクを回転させるスピンドルモータと；前記スピンドルモータにより回転された前記複数のフレキシブル磁気ディスクにサーボ信号を同時に記録する複数の磁気ヘッドと；前記複数のフレキシブル磁気ディスクそれぞれの少なくとも下面を保持する複数のディスク保持ケースと；前記複数のディスク保持ケースが載せられ、前記複数のディスク保持ケースを保持するケース保持部材と、を有するサーボライタであって、前記複数のディスク保持ケースを、ユニット化した状態で前記ケース保持部材に着脱自在に取り付ける取付手段を備えたことを特徴とする。
【０００７】
また、前記取付手段は、前記複数のディスク保持ケースそれぞれに形成された挿通孔に挿通する挿通部と、前記挿通部の上側端部に設けられ前記挿通孔よりも大きい径のヘッド部と、前記挿通部の下側端部に設けられ前記ケース保持部材に係止する係止部と、を有し、前記ディスク保持ケースを前記ケース保持部材に係止する係止部材を備えることが好ましい。なお、前記係止部としては、ネジきりされたネジ部や粘着テープ等が挙げられ、前記係止部を前記ネジ部から構成した場合には、前記ケース保持部材にネジ部と噛合するネジ孔を形成し、この噛合により、前記ディスク保持ケースを前記ケース保持部材に係止し、前記係止部を粘着テープから構成した場合には、粘着テープの粘着力により、前記ディスク保持ケースを前記ケース保持部材に係止する。
【０００８】
さらに、前記ケース保持部材に、前記ディスク保持ケースを位置決めする位置決め部を設けることが好ましい。
【０００９】
また、本発明のサーボライト方法は、重ねられた複数のフレキシブル磁気ディスクを回転させ、回転された前記複数のフレキシブル磁気ディスクにサーボ信号を同時に記録するサーボライト方法であって、ユニット化された状態で取付部材に着脱自在に取り付けられる複数のディスク保持ケースにより、前記複数のフレキシブル磁気ディスクの少なくとも下面を保持した状態で、前記複数のフレキシブル磁気ディスクを回転させることを特徴とする。
【００１０】
さらに、本発明のフレキシブル磁気ディスクは、上記したサーボライタでサーボ信号を記録したことを特徴とする。
【発明の効果】
【００１１】
本発明のサーボライタによれば、重ねられた複数のフレキシブル磁気ディスクが載せられ、複数のフレキシブル磁気ディスクを回転させるスピンドルモータと；スピンドルモータにより回転された複数のフレキシブル磁気ディスクにサーボ信号を同時に記録する複数の磁気ヘッドと；複数のフレキシブル磁気ディスクそれぞれの少なくとも下面を保持する複数のディスク保持ケースと；複数のディスク保持ケースが載せられ、複数のディスク保持ケースを保持するケース保持部材と；複数のディスク保持ケースを、ユニット化した状態でケース保持部材に着脱自在に取り付ける取付手段と；を備えたから、複数のディスク保持ケースを交換する作業を短時間で行うことができ、サーボライタの稼働率の低下を防止することができる。
【００１２】
また、取付手段は、複数のディスク保持ケースそれぞれに形成された挿通孔に挿通する挿通部と、挿通部の上側端部に設けられ挿通孔よりも大きい径のヘッド部と、挿通部の下側端部に設けられケース保持部材に係止する係止部と、を有し、ディスク保持ケースをケース保持部材に係止する係止部材を備えたから、係止部材を、ディスク保持ケースの挿通孔に挿通させるだけで、容易に複数のディスク保持ケースをユニット化した状態でケース保持部材に取り付けることができる。
【００１３】
さらに、本発明のサーボライト方法によれば、重ねられた複数のフレキシブル磁気ディスクを回転させ、回転された複数のフレキシブル磁気ディスクにサーボ信号を同時に記録するサーボライト方法であって、ユニット化された状態で取付部材に着脱自在に取り付けられる複数のディスク保持ケースにより、複数のフレキシブル磁気ディスクの少なくとも下面を保持した状態で、複数のフレキシブル磁気ディスクを回転させるから、複数のディスク保持ケースを交換するための作業時間を短くすることができ、サーボライトする時間が減少するのを防止することができる。
【００１４】
また、本発明のフレキシブル磁気ディスクによれば、上記したサーボライタでサーボ信号を記録したから、サーボライタの稼働率の低下防止により、フレキシブル磁気ディスク１枚当たりのコストを下げることができる。
【発明を実施するための最良の形態】
【００１５】
図１、図２及び図３に示すように、本発明を実施したサーボライタ２は、４枚のフレキシブル磁気ディスク３に同時にサーボ信号を記録するものであり、スピンドルモータ４、磁気ヘッド５が先端部に取り付けられたサスペンションアーム６、制御部７、ディスク保持ケース８を備える。ディスク保持ケース８は、４個設けられており、これら４個のディスク保持ケース８は、詳しくは後述するようにユニット化され、アクチュエータ３０により、フレキシブル磁気ディスク３を保持する保持位置（図３参照）とこの保持位置から退避した退避位置（図１及び図２参照）との間で移動可能に設けられている。
【００１６】
サーボライタ２は、３個のスペーサ１１を備える。スピンドルモータ４のスピンドルヘッド４２に係合されたフレキシブル磁気ディスク３の上には、スペーサ１１が載せられる。そして、スペーサ１１の上には、フレキシブル磁気ディスク３、スペーサ１１、フレキシブル磁気ディスク３、スペーサ１１、フレキシブル磁気ディスク３の順で載せられる。本実施形態では、下から順に、第１のスペーサ１１、第２のスペーサ１１、第３のスペーサ１１と称するとともに、下から順に、第１のフレキシブル磁気ディスク３、第２のフレキシブル磁気ディスク３、第３のフレキシブル磁気ディスク３、第４のフレキシブル磁気ディスク３と称する。なお、図１では、簡略的に、第１のフレキシブル磁気ディスク３及び第１のスペーサ１１のみを図示している。
【００１７】
フレキシブル磁気ディスク３は、両面に磁性層がコーティングされており、中心部にディスク孔３ａが形成されている。フレキシブル磁気ディスク３の下面の中心部には、金属製のセンターコア１５が両面テープ等により取り付けられている。センターコア１５は、円盤状に形成されており、中心部には挿通孔１５ａが形成され、下面にはスピンドルヘッド４２またスペーサ１１と係合するためのリング状の係合凸部が形成されている。
【００１８】
磁気ヘッド５は、フレキシブル磁気ディスク３にサーボ信号を記録するためのものであり、サスペンションアーム６の先端部に取り付けられている。磁気ヘッド５は、ヘッド本体を備え、ヘッド本体は、フレキシブル磁気ディスク３に記録するデータに対応する電気信号を磁界に変換する記録素子から構成されている。磁気ヘッド５は、接続ワイヤ（図示せず）により制御部７に接続されており、制御部７により駆動が制御され、フレキシブル磁気ディスク３にサーボ信号の記録を行う。
【００１９】
サスペンションアーム６は、弾性変形可能な薄板金属製の上ロードビーム１７及び下ロードビーム１８を備える。上ロードビーム１７及び下ロードビーム１８は、ＶＣＭ（ヴォイスコイルモータ）から構成されるロードモータ１９のモータシャフト１９ａに、回転自在に取り付けられている。ロードモータ１９の駆動により上ロードビーム１７及び下ロードビーム１８は回転する。上ロードビーム１７の下面先端部及び下ロードビーム１８の上面先端部には、磁気ヘッド５が取り付けられている。サスペンションアーム６は、回転させると、上ロードビーム１７と下ロードビーム１８との間にフレキシブル磁気ディスク３が入り込む機構により、フレキシブル磁気ディスク３を挟み込む状態となるように配設されている。これにより、フレキシブル磁気ディスク３の上下両面にサーボ信号を記録することができる。ロードモータ１９は、制御部７に接続されており、制御部７により駆動が制御される。ロードモータ１９は、スピンドルモータ４が固定されるベース板（図示せず）に固定されている。
【００２０】
サスペンションアーム６は、４個設けられており、これにより、４枚のフレキシブル磁気ディスク３の上下両面に同時にサーボ信号を記録することができる。なお、磁気ヘッド５は、弾性変形する上ロードビーム１７及び下ロードビーム１８により、常に一定の力でフレキシブル磁気ディスク３に押し付けられる方向に付勢される。
【００２１】
図４に示すように、ディスク保持ケース８は、フレキシブル磁気ディスク３の上下両面を保持するためのものであり、上ケース２１と下ケース２２とから構成されている。上ケース２１は、板状の本体部２１ａに、下ケース２２の第１〜第３係合凸部２２ｂ〜２２ｄが挿入される第１切欠き２１ｂ，第２切欠き２１ｃ，第３切欠き２１ｄが形成されている。本体部２１ａには、ディスク保持ケース８が保持位置に位置するときに、サスペンションアーム６の移動を可能にするとともに第１〜第３のスペーサ１１及びスピンドルヘッド４２の回転を可能にするためのアーム切欠き２１ｅが形成されている。本体部２１ａの四隅には、下ケース２２の位置決め孔２２ｆに挿入される位置決め凸部２１ｆが形成されている。本体部２１ａのフレキシブル磁気ディスク３が挿入されるときの入口は、フレキシブル磁気ディスク３のガイドとしてテーパ状に形成されている。本体部２１ａの下面には、フレキシブル磁気ディスク３の表面塵埃を除去するとともに傷つくのを防止するためのライナー（図示せず）が貼り付けられている。
【００２２】
下ケース２２は、板状の本体部２２ａの上面に、上ケース２１の第１〜第３切欠き２１ｂ〜２１ｄに挿入される第１係合凸部２２ｂ，第２係合凸部２２ｃ，第３係合凸部２２ｄが形成されている。本体部２２ａには、ディスク保持ケース８が保持位置に位置するときに、サスペンションアーム６の移動を可能にするとともに第１〜第３のスペーサ１１及びスピンドルヘッド４２の回転を可能にするためのアーム切欠き２２ｅが形成されている。本体部２２ａの四隅には、上ケース２１の位置決め凸部２１ｆが挿入される位置決め孔２２ｆが形成されている。本体部２２ａのフレキシブル磁気ディスク３が挿入されるときの入口は、フレキシブル磁気ディスク３のガイドとしてテーパ状に形成されている。本体部２２ａの略中心部には、フレキシブル磁気ディスク３の外径よりも若干大きい径のディスク凹部２２ｇが形成されており、このディスク凹部２２ｇには、フレキシブル磁気ディスク３の表面塵埃を除去するとともに傷つくのを防止するためのライナー（図示せず）が貼り付けられている。第１〜第３係合凸部２２ｂ〜２２ｄには、それぞれユニットシャフト３５が挿通される挿通孔２２ｈが形成されている。
【００２３】
上ケース２１の位置決め凸部２１ｆを下ケース２２の位置決め孔２２ｆに挿入すると、第１〜第３切欠き２１ｂ〜２１ｄに第１〜第３係合凸部２２ｂ〜２２ｄが挿入されて上ケース２１と下ケース２２とが係合する。そして、固定用ネジ等により上ケース２１と下ケース２２とを取り付ける。
【００２４】
図５及び図６に示すように、ディスク保持ケース８は、取付部材としてのケース取付板（ケース保持部材）２５に着脱自在に取り付けられる。ケース取付板２５は、板状の本体部２５ａの上面に、ディスク保持ケース８の左右方向（図５中Ａ方向）の位置決めを行う位置決めリブ（位置決め部）２５ｂが２個形成されている。本体部２５ａには、ディスク保持ケース８が保持位置に位置するときに、サスペンションアーム６の移動を可能にするとともに第１〜第３のスペーサ１１及びスピンドルヘッド４２の回転を可能にするためのアーム切欠き２５ｃが形成されている。本体部２５ａには、ユニットシャフト３５のネジ部（係止部）３５ａと噛合するネジ孔２５ｄが３個形成されている。本体部２５ａの上面には、ディスク保持ケース８の前後方向（図５中Ｂ方向）の位置決めを行う位置決めピン（位置決め部）２６が２本取り付けられている。本実施形態では、ディスク保持ケース８に４個のディスク保持ケース８を取り付ける実施形態について説明を行う。また、本実施形態では、下から順に、第１のディスク保持ケース８、第２のディスク保持ケース８、第３のディスク保持ケース８、第４のディスク保持ケース８と称する。
【００２５】
ケース取付板２５は、アクチュエータ３０により、ディスク保持ケース８がフレキシブル磁気ディスク３を保持する保持位置（図３参照）とこの保持位置から退避した退避位置（図２参照）との間で移動自在に設けられている。アクチュエータ３０は、レール板３１と、レール板３１に移動自在に取り付けられるスライダ３２と、スライダ３２を移動させるモータ３３と、を備える。モータ３３は、制御部７に接続されており、制御部７により駆動が制御される。スライダ３２は、断面略コ字状に形成され、上面にはケース取付板２５が取り付けられている。
【００２６】
なお、スライダ３２を移動させ、ディスク保持ケース８を、退避位置から保持位置まで移動させるときには、フレキシブル磁気ディスク３を停止した状態、または、フレキシブル磁気ディスク３とディスク保持ケース８とが接触してもディスクの傷付きが起こりにくい低速（例えば、３００ｒｐｍ以下）で回転させた状態で移動させるように設定されている。本実施形態では、フレキシブル磁気ディスク３を２００ｒｐｍで回転させた状態で、ディスク保持ケース８を、退避位置から保持位置まで移動させるようにされている。
【００２７】
ユニットシャフト３５は、下ケース２２の挿通孔２２ｈを挿通可能で且つケース取付板２５のネジ孔２５ｄに噛合するネジ部（係止部）３５ａと、挿通孔２２ｈを挿通可能な挿通部３５ｂと、挿通孔２２ｈよりも径の大きいヘッド部３５ｃと、から構成されている。本実施形態では、ユニットシャフト３５を時計方向に回転させると、ネジ孔２５ｄとネジ部３５ａとが噛合し、ユニットシャフト３５を反時計方向に回転させると、ネジ孔２５ｄとネジ部３５ａとの噛合が解除されるように、ネジ孔２５ｄとネジ部３５ａとは形成されている。
【００２８】
挿通部３５ｂは、ディスク保持ケース８の厚み（上下方向）の４倍の長さで形成されている。すなわち、ディスク保持ケース８を４個重ねた状態で、ネジ部３５ａ及び挿通部３５ｂを挿通孔２２ｈに挿通し、ネジ部３５ａをネジ孔２５ｄに噛合させると、ヘッド部３５ｃの下面が第４のディスク保持ケース８の上面に当接する。これにより、４個のディスク保持ケース８は、ケース取付板２５とヘッド部３５ｃとで挟持された状態となり、ケース取付板２５に取り付けられる（図７参照）。なお、ヘッド部３５ｃの上面には、ドライバの先端を挿入するための挿入凹部３５ｄが形成されている。
【００２９】
４個のディスク保持ケース８を、ケース取付板２５に取り付ける場合には、先ず、ユニットシャフト３５のネジ部３５ａ及び挿通部３５ｂを、各ディスク保持ケース８の各挿通孔２２ｈに挿通する。この状態では、４個のディスク保持ケース８は、ユニット化された状態となる。次に、ユニット化された４個のディスク保持ケース８を、ケース取付板２５に載せ、第１のディスク保持ケース８を位置決めピン２６に当接させて、ディスク保持ケース８の位置決めを行う。そして、ドライバによりユニットシャフト３５を時計方向に回転させて、ネジ部３５ａをネジ孔２５ｄに噛合させると、図７に示すように、４個のディスク保持ケース８は、ケース取付板２５に取り付けられる。４個のディスク保持ケース８を、ケース取付板２５から取り外す場合には、ユニットシャフト３５を反時計方向に回転させ、ネジ孔２５ｄとネジ部３５ａとの噛合を解除した後に行う。本実施形態では、ユニットシャフト３５は、複数のディスク保持ケース８をユニット化した状態でケース取付板２５に着脱自在に取り付ける取付手段として機能する。
【００３０】
図１及び図３に示すように、スピンドルモータ４は、フレキシブル磁気ディスク３を回転させるためのものであり、モータ本体４１とスピンドルヘッド４２とモータシャフト４３とを備える。モータ本体４１は、制御部７に接続されており、制御部７により駆動が制御される。モータ本体４１が駆動すると、スピンドルヘッド４２及びモータシャフト４３が回転する。スピンドルモータ４は、ベース板（図示せず）に固定されている。
【００３１】
スピンドルヘッド４２は、円柱状に形成されており、上面の中心部にはモータシャフト４３が取り付けられている。スピンドルヘッド４２の上面には、第１のフレキシブル磁気ディスク３のセンターコア１５の係合凸部が挿入される係合凹部４２ａが形成されている。スピンドルヘッド４２の内部には、磁石が１２０°ピッチで３個埋め込まれており、係合凹部４２ａにセンターコア１５の係合凸部を挿入してセンターコア１５とスピンドルヘッド４２とを係合させ位置決めすると、磁石の磁気により金属製のセンターコア１５が保持される。なお、スピンドルヘッド４２に埋め込む磁石の個数は適宜変更可能であり、リング状に連続して構成した磁石を用いてもよい。
【００３２】
スピンドルヘッド４２に係合された第１のフレキシブル磁気ディスク３の上には、第１のスペーサ１１が載せられる。そして、第１のスペーサ１１の上には、第２のフレキシブル磁気ディスク３、第２のスペーサ１１、第３のフレキシブル磁気ディスク３、第３のスペーサ１１、第４のフレキシブル磁気ディスク３の順で載せられる。
【００３３】
スペーサ１１は、側面の中心部に溝が形成された略円盤状に形成されている。スペーサ１１の中心部には、モータシャフト４３を挿通させるとともにモータシャフト４３と係合する挿通孔１１ａが形成されている。
【００３４】
スペーサ１１の上面には、フレキシブル磁気ディスク３のセンターコア１５の係合凸部が挿入される係合凹部１１ｂが形成されている。
【００３５】
スペーサ１１には、その上面及び下面それぞれに磁石が１２０°ピッチで３個ずつ埋め込まれている。この磁石の磁気により、第１のフレキシブル磁気ディスク３のセンターコア１５と第１のスペーサ１１とが係止される。さらに、第１のスペーサ１１の係合凹部１１ｂに、第２のフレキシブル磁気ディスク３のセンターコア１５の係合凸部を挿入してセンターコア１５と第１のスペーサ１１とを係合させて位置決めすると、磁石の磁気により、第２のフレキシブル磁気ディスク３のセンターコア１５が第１のスペーサ１１に保持される。なお、スペーサ１１に埋め込む磁石の個数は適宜変更可能であり、リング状に連続して構成した磁石を用いてもよい。
【００３６】
第１のスペーサ１１と同様にして、第２のフレキシブル磁気ディスク３のセンターコア１５と第２のスペーサ１１とが係止されるとともに、第３のフレキシブル磁気ディスク３のセンターコア１５が第２のスペーサ１１に保持される。さらには、第３のフレキシブル磁気ディスク３のセンターコア１５と第３のスペーサ１１とが係止されるとともに、第４のフレキシブル磁気ディスク３のセンターコア１５が第３のスペーサ１１に保持される。そして、制御部７は、アクチュエータ３０の駆動を制御して、ディスク保持ケース８を退避位置から保持位置まで移動する。この状態で、制御部７は、スピンドルモータ４、磁気ヘッド５及びロードモータ１９の駆動を制御して、４枚のフレキシブル磁気ディスク３に同時にサーボ信号を記録する。
【００３７】
上記のように構成されたサーボライタ２の作用について説明する。本発明を実施したサーボライタ２では、４枚のフレキシブル磁気ディスク３の各ディスク上下面を４個のディスク保持ケース８で保持した状態で、４枚のフレキシブル磁気ディスク３に同時にサーボ信号を記録する。４個のディスク保持ケース８をケース取付板２５に取り付ける場合には、先ず、ユニットシャフト３５のネジ部３５ａ及び挿通部３５ｂを、各ディスク保持ケース８の各挿通孔２２ｈに挿通する。これにより、４個のディスク保持ケース８は、ユニット化された状態となる。次に、ユニット化された４個のディスク保持ケース８を、ケース取付板２５に載せ、第１のディスク保持ケース８を位置決めピン２６に当接させて、ディスク保持ケース８の位置決めを行う。そして、ドライバによりユニットシャフト３５を時計方向に回転させて、ネジ部３５ａをネジ孔２５ｄに噛合させると、図７に示すように、４個のディスク保持ケース８は、ケース取付板２５に取り付けられる。
【００３８】
ディスク保持ケース８には、フレキシブル磁気ディスク３の上下面の塵埃を除去するとともに傷つくのを防止するためのライナーが貼り付けられており、サーボライタ２を稼働すると、ライナーが汚れる。ライナーが汚れた場合には、フレキシブル磁気ディスク３の塵埃の除去を行うことができなくなるとともに、フレキシブル磁気ディスク３を傷つけることがある。このため、定期的にライナーの交換及びディスク保持ケース８内部の清掃を行う必要がある。
【００３９】
ライナーの交換及びディスク保持ケース８内部の清掃を行う場合には、４個のディスク保持ケース８をケース取付板２５から取り外して行う。先ず、ドライバによりユニットシャフト３５を反時計方向に回転させて、ネジ部３５ａとネジ孔２５ｄとの噛合を解除する。次に、挿通部３５ｂを４個のディスク保持ケース８の各挿通孔２２ｈに挿通させた状態、すなわち、４個のディスク保持ケース８をユニット化した状態で、ケース取付板２５から取り外す。そして、取り外したディスク保持ケース８とは別に用意した４個のディスク保持ケース８を、新たなユニットシャフト３５によりケース取付板２５に取り付け、サーボライタ２の稼働を開始する。そして、ケース取付板２５から取り外した４個のディスク保持ケース８の各ライナーを新たなライナーに交換し、さらには、４個のディスク保持ケース８それぞれの内部を清掃する。
【００４０】
このように、ユニットシャフト３５により、４個のディスク保持ケース８をユニット化した状態で、ケース取付板２５に着脱自在に取り付けることができるから、ディスク保持ケース８の交換に要する時間を短縮することができ、ディスク保持ケース８の交換に起因するサーボライタ２の稼働率の低下を防止することができる。
【００４１】
また、ケース取付板２５に位置決めピン２６を取り付けたから、この位置決めピン２６により、ユニット化された４個のディスク保持ケース８を位置決めすることができ、ディスク保持ケース８の位置決めに要する作業時間を短縮することができるため、より一層迅速にディスク保持ケース８の交換を行うことができる。
【００４２】
なお、上記実施形態では、４枚のフレキシブル磁気ディスク３に同時にサーボ信号を記録するサーボライタ２について説明したが、同時にサーボ信号を記録するフレキシブル磁気ディスク３の枚数は、適宜変更可能であり、これに応じて、磁気ヘッド５、サスペンションアーム６、ディスク保持ケース８及びスペーサ１１の個数、ユニットシャフト３５の形状も、適宜変更されるものである。
【００４３】
また、上記実施形態では、ディスク保持ケース８で、フレキシブル磁気ディスク３の上下両面を保持するようにしたが、フレキシブル磁気ディスク３の下面のみを保持するようにしてもよく、適宜変更可能である。
【図面の簡単な説明】
【００４４】
【図１】本発明を実施したサーボライタを示す斜視図である。
【図２】ディスク保持ケースが退避位置に位置するときのサーボライタを示す側面図である。
【図３】ディスク保持ケースが保持位置に位置するときのサーボライタを示す側面断面図である。
【図４】上ケースと下ケースとからディスク保持ケースの分解斜視図である。
【図５】ケース取付板とレール板とスライダとを示す分解斜視図である。
【図６】ユニット化された４個のディスク保持ケースとケース取付板とレール板とスライダとユニットシャフトとを示す分解斜視図である。
【図７】ユニット化された４個のディスク保持ケースをケース取付板に取り付けた状態のディスク保持ケースとケース取付板とレール板とスライダとユニットシャフトとを示す斜視図である。
【符号の説明】
【００４５】
２  サーボライタ
３  フレキシブル磁気ディスク
４  スピンドルモータ
５  磁気ヘッド
８  ディスク保持ケース
２１  上ケース
２２  下ケース
２２ｈ  挿通孔
２５  ケース取付板（ケース保持部材）
２５ｂ  位置決めリブ（位置決め部）
２６  位置決めピン（位置決め部）
３５  ユニットシャフト（係止部材）
３５ａ  ネジ部（係止部）
３５ｂ  挿通部
３５ｃ  ヘッド部
【図１】
2007133931.tif 000003
【図２】
2007133931.tif 000004
【図３】
2007133931.tif 000005
【図４】
2007133931.tif 000006
【図５】
2007133931.tif 000007
【図６】
2007133931.tif 000008
【図７】
2007133931.tif 000009